(57)【要約】  【課題】パンチの利便性をより高める。  【解決手段】本体１と、本体１に回動可能に支持させたレバー２と、レバーの回動に伴い進退するパンチ刃３と、シートを位置決めするゲージＧを支持するゲージ溝１３とを有してなるパンチｐを複数具備するパンチ装置Ｐであって、ゲージ溝１３を利用して複数のパンチｐを連結する連結具２０を具備することを特徴とする。  【選択図】図１
2005103719.tif 000002
【特許請求の範囲】
【請求項１】
本体と、本体に回動可能に支持させたレバーと、レバーの回動に伴い進退するパンチ刃と、シートを位置決めするゲージを支持するゲージ溝とを有してなるパンチを複数具備するものであって、
前記ゲージ溝を利用して前記複数のパンチを連結する連結具を具備することを特徴とするパンチ装置。
【請求項２】
前記連結具は前記ゲージ溝へ挿入する挿入部と、前記複数のパンチ間に介在することにより所定間隔を設ける介在部とからなる請求項１に記載のパンチ装置。
【請求項３】
前記介在部が前記本体の側縁に当接することによりパンチ間を相対的に位置決めするものである請求項２に記載のパンチ装置。
【請求項４】
前記挿入部に係合突起を設けるとともに前記ゲージ溝に係合穴を設け、前記係合突起及び前記係合穴が凹凸係合することにより抜け止め手段を構成するものである請求項２又は３に記載のパンチ装置。
【請求項５】
前記連結具は、一のパンチ及び他のパンチが有するパンチ刃を略対称に整列させるように一のパンチと他のパンチとを連結するものであって、これらパンチを連結した状態におけるパンチ刃の配列の対称軸を指し示す目印を、前記連結具に付している請求項１〜４の何れかに記載のパンチ装置。
【請求項６】
前記連結具は、パンチ刃を略等間隔に整列させるように複数のパンチを連結するものである請求項１〜５の何れかに記載のパンチ装置。
【請求項７】
前記パンチは前記パンチ刃を２本有する２穴パンチであって、前記連結具を用いて２つのパンチを連結することにより４穴パンチを構成するものである請求項１〜７の何れかに記載のパンチ装置。
【請求項８】
本体と、本体に回動可能に支持させたレバーと、レバーの回動に伴い進退するパンチ刃と、シートを位置決めするゲージを支持するゲージ溝とを有してなるパンチに着脱可能に取り付けられるものであって、
前記ゲージ溝を利用して二つのパンチ間を連結することを特徴とする連結具。
【請求項９】
前記ゲージ溝へ挿入する挿入部と、前記複数のパンチ間に介在することにより所定間隔を設ける介在部とからなる請求項８に記載の連結具。
【請求項１０】
前記介在部が前記本体の側縁に当接することによりパンチ間を相対的に位置決めするものである請求項９に記載の連結具。
【請求項１１】
前記挿入部が係合突起を有し、前記ゲージ溝に設けられた係合穴と凹凸係合することにより抜け止め手段を構成するものである請求項９又は１０に記載の連結具。
【請求項１２】
一のパンチ及び他のパンチが有するパンチ刃を略対称に整列させるように一のパンチと他のパンチとを連結するものであって、これらパンチを連結した状態におけるパンチ刃の配列の対称軸を指し示す目印を付している請求項８〜１１の何れかに記載の連結具。
【請求項１３】
パンチ刃を略等間隔に整列させるように複数のパンチを連結するものである請求項８〜１２の何れかに記載の連結具。
【請求項１４】
前記パンチは前記パンチ刃を２つ有する２穴パンチであって、２つのパンチを連結することにより４穴パンチを構成するものである請求項８〜１３の何れかに記載の連結具。
【発明の詳細な説明】
【技術分野】
【０００１】
本発明は、シートその他の紙葉類（→紙葉類はここにしか出てこない）に穿孔するパンチ装置及び連結具に関する。
【背景技術】
【０００２】
シートに穿孔するための器具として、例えば、下記特許文献に挙げるようなものが既知である。これらは、いわゆる２穴パンチであって、シートの周縁に沿って２つの孔を穿つものである。
【特許文献１】特開２００２−３３１４９６号公報
【特許文献２】特開２００２−００１６９９号公報
【特許文献３】特開２００２−００１６９８号公報
【発明の開示】
【発明が解決しようとする課題】
【０００３】
一般に、パンチがシートに一度に穿つことができる孔の数は、パンチが有するパンチ刃の本数と同数である。だが、ときにパンチ刃の本数よりも多くの孔を穿ちたいことがある。パンチ刃の本数よりも多くの孔を穿とうとするならば、穿孔操作を複数回実行せざるを得ない。例えば、シートに４つの孔を穿ちたいが手元に２穴パンチしかないような場合には、この２穴パンチを使用して２回の穿孔を行わなくてはならない。しかし、シートに対するパンチの位置を変えながら複数回の穿孔を行うことは手間である。のみならず、先の回の穿孔箇所と後の回の穿孔箇所との位置関係を調整する有効な手段が存在しないため、全ての孔を適切な箇所に穿つことは困難である。またこのような場合は４穴パンチを別途準備すれば、確かに全ての孔を適切な箇所に穿つことはできる。しかしそのような機会が少ない使用者も、その少ない機会のためだけに４穴パンチを別途準備するか又は購入しなければならない。
【０００４】
以上の問題に鑑みて、本発明は、パンチの利便性をより高めることを所期の目的としている。
【課題を解決するための手段】
【０００５】
本発明は、このような目的を達成するために、次のような手段を講じたものである。すなわち、本発明に係る連結具は、本体と、本体に回動可能に支持させたレバーと、レバーの回動に伴い進退するパンチ刃と、シートを位置決めするゲージを支持するゲージ溝とを有してなるパンチに着脱可能に取り付けられるものであって、前記ゲージ溝を利用して前記複数のパンチを連結することを特徴とする。また、本発明に係るパンチ装置は、前記パンチを複数具備するとともに、前記連結具を具備することを特徴とする。
【０００６】
上記の構成により、複数のパンチを任意に配列して、シートに多数の孔を穿つことが可能となる。また、連結具の存在により、複数のパンチの相対的な位置関係を固定することができるので全ての孔を適切な箇所に穿つことが容易となる。勿論、連結を解除すれば、パンチをそれぞれ単独で使用することもできる。このように、パンチの利便性がより高められる。さらに本発明では、既存のパンチのほとんどが具備するゲージ溝を利用して連結具を本体に取り付けることにより好適にパンチを相対的に位置決めすることが可能となるばかりでなく、既存のパンチのほとんどのものに対し、なんら改良を施すことなく連結具を適用してパンチ装置を構成することが可能となる。そうすることにより使用者は新たに穴数の多いパンチを別途準備しなくて済むとともに、特に、穴数の多いパンチ装置を構成させるために同種のパンチが２個以上あれば、簡単に前記パンチ装置を提供することができる。
【０００７】
さらに、前記連結具は前記ゲージ溝に挿入する挿入部と、前記複数のパンチ間に介在することにより所定間隔を設ける介在部とからなるものであれば、挿入部をゲージ溝に挿入することにより確実にパンチが位置決めされるとともに、介在部が所定の間隔を設けている介在部により穴数の多いパンチ装置を提供する際に、所定の穴間隔を確実に確保できる。
【０００８】
介在部が所定の間隔を確実に設けることを可能にするため、介在部が前記本体の側縁に当接することにより両パンチ間を位置決めするものが好ましい。
【０００９】
挿入部がより確実に前記本体に固定されるものとするためには、前記挿入部に係合突起を設けるとともに前記本体に係合穴を設け、前記係合突起及び前記係合穴が凹凸係合することにより抜け止め手段を構成するものであることが好ましい。
【００１０】
本発明に係るパンチ装置及び連結具は、一のパンチ及び他のパンチが有するパンチ刃を略対称に整列させるように一のパンチと他のパンチとを連結し、これらパンチを連結した状態におけるパンチ刃の配列の対称軸を指し示す目印を、前記連結具に付しているものであれば、シートの中心線とパンチ刃の配列の対称軸とを揃えた上で孔を穿つことができるものとなる。
【００１１】
前記連結具は、一のパンチ及び他のパンチが有するパンチ刃を略等間隔に整列させるように一のパンチと他のパンチとを連結するものであることが好ましい。
【００１２】
そして、上記パンチが２本のパンチ刃を有しシートに一度に２穴を穿孔することができる二穴パンチであれば、単独では２穴パンチとして、２個を連結すれば４穴のパンチ装置として使用可能となる。
【発明の効果】
【００１３】
本発明によれば、複数のパンチを任意に配列して、シートに多数の孔を穿つことが可能となる。また、連結具の存在により、複数のパンチの相対的な位置関係を固定することができ、全ての孔を適切な箇所に穿つことが容易となる。勿論、連結を解除すれば、パンチをそれぞれ単独で使用することもできる。このように、パンチの利便性がより高められる。
【００１４】
さらに本発明では、既存のパンチのほとんどのものが具備するゲージ溝を利用して連結具を本体に取り付けることにより好適にパンチを相対的に位置決めすることが可能となるばかりでなく、既存のパンチに対し、なんら改良を施すことなく連結具を適用してパンチ装置を構成することが可能となる。
【発明を実施するための最良の形態】
【００１５】
以下、本発明の実施の形態を、図面を参照して説明する。図１に示すように、本実施形態におけるパンチ装置Ｐはパンチｐを２つ具備するものであるとともに、パンチｐは、図２に示すように、本体１と、本体１に回動可能に支持させたレバー２と、レバー２の回動に伴い進退する破線で示したパンチ刃３とを有してなる。レバー２は、回動軸４を介して本体１の上部に取り付けてある。パンチ刃３は、レバー２の根本即ち回動軸４近傍に支持させてあり、レバー２の回動操作に伴い上下方向に進退して、上方よりシートを貫通し穿孔する。図示例はいわゆる２穴パンチであって、２本のパンチ刃３をそれぞれレバー２の根本に配している。本体１は、平面視略方形状をなし回動軸４を介してレバー２を支持するベース１１と、ベース１１の下部に装着したカバー１２とを具備する。カバー１２は、ベース１１の形状と対応するような形状をなすもので、上面側の周縁は上方に突出させてある。ベース１１にカバー１２を装着する際、ベース１１の下部がこの突出した領域に収容される。穿孔の際にパンチ刃３によって切り取られるシートの切片（穿孔くず）は、ベース１１に形成した図示しない貫通孔を経由してベース１１の下方に排出される。排出された穿孔くずは、カバー１２が受ける。カバー１２はベース１１より着脱自在であって、カバー１２を脱離させれば穿孔くずを捨てることができる。
【００１６】
また、パンチｐは図２に示すように、穿孔の際にシートを位置決めするためのゲージＧを本体１とは別体の部材として具備しているとともに、カバー１２の下面側には、ゲージＧを支持するゲージ溝１３が設けられている。カバー１２の両側縁には挿入口１３１をそれぞれ配しているとともに、挿入口１３１の周縁にはテーパ形状の側縁１２１が設けられている。図４に示すように、ゲージＧがゲージ溝１３内から脱離せず好適にスライドするよう、ゲージＧの下面側を規制するため、ゲージ溝１３の対向する側壁の最下部分から、長手方向に略等間隔に複数の突起ｔを突出させている。そしてゲージＧの断面形状を、幅方向両端に前記突起ｔの上面とゲージ溝１３の溝底との隙間に挿入可能な薄肉部ｇを形成してなる逆凸形としている。ゲージ溝１３の、挿入口１３１付近には係合穴１３２が設けられている（図４）。この係合穴１３２については後に詳述する。なお、ゲージＧ並びにゲージ溝１３、ベース１１、カバー１２、レバー２、パンチ刃３等については、既存のパンチと同様の構成とすることが可能である。
【００１７】
本実施形態では、上記の如きパンチ装置Ｐにおいて、パンチｐとは別体の部材として、パンチｐを連結するための連結具２０を具備するものとしている。より具体的には、図１、図３及び図４に示すように、ゲージ溝１３を利用することにより他のパンチｐと連結するための連結具２０を取り付けている。連結具２０は、例えば樹脂を材料とした一体成形品である。
【００１８】
連結具２０は、図に示すように左右対称の形状をしており、より具体的にはその中心に介在部２１を配し、その介在部２１の左右側縁より突出する挿入部２２を有している。挿入部２２は上述したゲージＧと略同様の逆凸形の断面形状を有し、幅方向の両端に薄肉部２２２を形成している。そのため、挿入部２２をゲージ溝１３へ挿入した際はゲージＧと同様に突起ｔに下面側を規制され、ゲージ溝１３から脱離せずに好適にスライド可能となっている。介在部２１の側縁部分であって挿入部２２が突出する箇所には、ゲージ溝１３の挿入口１３１に隣接しているテーパ形状の側縁１２１に当接する当接部２１１を形成している。介在部２１の中心箇所には目印２１２が設けられている。挿入部２２の立ち上がり箇所付近の上側に係合突起２２１を配している。
【００１９】
一のパンチｐと他のパンチｐとを連結する前に、一のパンチｐと他のパンチｐのゲージ溝１３に挿入されているゲージＧを予め引き抜いておく。その後、一のパンチｐと他のパンチｐとの対向するゲージ溝１３の挿入口１３１に連結具２０の挿入部２２を当接部２１１が側縁１２１に当接するまでそれぞれ挿し込む。結果、一のパンチｐと他のパンチｐがそれぞれ介在部２１の幅寸法だけ離間した状態で連結される。このとき、図４及び図５に示すようにゲージ溝１３の側縁よりの部分に設けられた係合穴１３２と係合突起２２１が凹凸係合した状態となり、抜け止め手段Ｒを構成している。
【００２０】
本実施形態では、複数のパンチｐを連結した状態でこれらパンチ装置Ｐが有するパンチ刃３が略等間隔に整列するように、連結具２０の形状及び寸法を設定している。即ち、連結具２０を介して連結したパンチ装置Ｐのパンチ刃３が対称的に並ぶこととなる。複数のパンチｐを連結した状態におけるパンチ刃３の配列の対称軸は、連結具２０に付してある目印２１２により指し示される。目印２１２は、連結具２０の中央、すなわち介在部２１の中央に設ける。この目印２１２にシートの中心線を合わせることで、シートの中心線に対称に複数の孔を穿つことができる。シートの中心線は予め印刷されている罫線等により確認してもよく、シートを二つ折りしたときにできる折り線を利用してもよい。
【００２１】
一定以上の力を加えて挿入部２２をゲージ溝１３から引き抜くことにより、上述の抜け止め手段Ｒの凹凸係合を解除すれば、パンチｐと連結具２０との連結を解除できる。連結していないパンチｐを単独で使用できることは言うまでもない。パンチｐを連結していないときには、連結具２０の代わりにゲージＧをゲージ溝１３に差し込んでおくことが好ましい。
【００２２】
以上のような構成とすることにより、本実施形態によれば、複数のパンチｐを任意に配列して、シートに多数の孔を穿つことが可能となる。また、連結具２０の存在により、複数のパンチｐの相対的な位置関係を固定することができ、全ての孔を適切な箇所に穿つことが容易となる。勿論、連結を解除すれば、パンチｐを単独で使用することもできる。さらに、パンチｐのような既存のパンチのほとんどが具備するゲージ溝１３を利用して連結具２０を本体１に取り付けることにより、好適に連結具２０を固定することが可能となるばかりでなく、既存のパンチのほとんどのものに対し、なんら改良を施すことなく連結具２０を適用できる。また、既に販売されているパンチｐのような既存のパンチの規格に合わせた連結具２０を新たに生産すれば、既存のパンチの利便性をも向上させることが可能となる。そうすることにより、２穴のパンチｐを２個用いて簡単にパンチ装置Ｐを提供することができる。さらに、販売態様を考えれば、本実施形態のように４穴のパンチ装置Ｐとして２つのパンチｐに連結具２０を付属させて販売する態様のみならず、例えばパンチｐを既に所持している使用者のために、同じ商品であるパンチｐに連結具２０を付属させて販売する態様や、パンチｐを既に複数所持している使用者のために、連結具２０のみ販売する態様など、販売者側の販売態様並びに購買者の選択枝を大幅に拡げることが可能となる。
【００２３】
さらに、連結具２０はゲージ溝１３に挿入する挿入部２２と、複数のパンチｐ間に介在することにより所定間隔を設ける介在部２１とからなるものであるので、挿入部２２がゲージ溝１３に挿入されることにより確実にパンチｐに固定されるとともに、所定の間隔を設けている介在部２１によりパンチ装置Ｐを構成する際に、所定の穴間隔を確実に確保できる。
【００２４】
介在部２１が所定の間隔を確実に設けるために、介在部２１に当接部２１１を設け、該当接部２１１が側縁１２１に当接することにより両パンチｐ間を位置決めしており、挿入部２２がより確実に本体１に係合して固定されるものとするために、挿入部２２に係合突起２２１を設けるとともにゲージ溝１３に係合穴１３２を設け、係合突起２２１及び係合穴１３２が凹凸係合することにより抜け止め手段Ｒを構成するものとなっている。この抜け止め手段Ｒにより、単に挿入部２２を挿入するのみの状態に比べ連結具２０が確実にパンチｐに装着されるため、連結した状態でのパンチ装置Ｐの取り扱いが容易になり、使用者はパンチｐの抜け落ちを危惧することなく安心してパンチ装置Ｐを使用することができる。
【００２５】
また、本実施形態によれば、一のパンチｐ及び他のパンチｐが有するパンチ刃３を略対称に整列させるように一のパンチｐと他のパンチｐとを連結し、これらパンチｐを連結した状態におけるパンチ刃３の配列の対称軸を指し示す目印２１２を、連結具２０に付している。この目印２１２によりシートの中心線とパンチ刃３の配列の対称軸とを揃えた上で孔を正確に穿つことができる。
【００２６】
以上、本発明の実施形態について説明したが、各部の具体的な構成は、上述した実施形態のみに限定されるものではなく、本発明の趣旨を逸脱しない範囲で種々変形が可能である。
【００２７】
例えば、本発明に係る介在部は、パンチの側縁に当接することにより位置決めするものに限られない。例えば連結具をゲージに類似した棒状のものとして、その両端を２つのパンチのゲージ溝にそれぞれ所定の箇所まで挿入する態様のものとしてもよい。また、ゲージの両端をゲージ溝に挿入可能に改良することにより、ゲージと接続具とを兼用可能としたものであっても、本発明に係る介在部及び挿入部を構成するものであるので本発明の技術的範囲に含まれる。
【００２８】
また、複数のパンチを連結した状態で、このパンチ装置が有するパンチ刃が略等間隔に並ぶとは限られない。パンチが、２本のパンチ刃を有する２穴パンチであるとは限られない。パンチが有するパンチ刃の数は１本でもよく、３本以上でもよい。パンチ装置を構成する複数のパンチが、それぞれ同数のパンチ刃を有しているとも限られない。
【００２９】
上記実施形態において、ゲージを収納する箇所は溝状のものを採用しており、該箇所をゲージ溝としているが、パンチによっては前記箇所が孔状であったり、凹凸係合によりゲージを支持する態様のものも存在する。本発明に係るゲージ溝とは、ゲージを収納又は支持するものであれば、それらも含む概念である。
【００３０】
また、上記実施形態において、ゲージを抜いた状態で連結具を使用するものとしたが、突出部及びゲージの寸法の設定次第で、連結具とゲージとを併用することも可能である。
【００３１】
その他各部の具体的構成は上記実施形態には限られず、本発明の趣旨を逸脱しない範囲で種々変形が可能である。
【図面の簡単な説明】
【００３２】
【図１】本発明の一実施形態に係るパンチ装置の斜視図。
【図２】同実施形態のパンチ装置を構成するパンチの斜視図。
【図３】同実施形態における連結具の斜視図。
【図４】同実施形態に係るパンチ装置を構成するパンチ及び連結具の底面図。
【図５】同実施形態における要部断面図。
【符号の説明】
【００３３】
Ｐ…パンチ装置
ｐ…パンチ
Ｇ…ゲージ
ｇ…薄肉部
Ｒ…抜け止め手段
ｔ…突起
１…本体
１２…カバー
１２１…側縁
１３…ゲージ溝
１３１…挿入口
１３２…係合穴
２…レバー
３…パンチ刃
２０…連結具
２１…介在部
２１１…当接部
２１２…目印
２２…挿入部
２２１…係合突起
２２２…薄肉部
【図１】
2005103719.tif 000003
【図２】
2005103719.tif 000004
【図３】
2005103719.tif 000005
【図４】
2005103719.tif 000006
【図５】
2005103719.tif 000007